【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
二方向光学コリメータであって、
光を垂直方向にコリメートするように構成された垂直コリメータと、
前記垂直方向に実質的に直交する水平方向に光をコリメートするように構成された水平コリメータであって、前記垂直コリメータの出力部に隣接して位置付けられて、前記垂直コリメータからの垂直方向にコリメートされた光を水平方向にコリメートして、前記二方向光学コリメータの出力部において二方向にコリメートされた光を提供する水平コリメータとを備え、
前記二方向にコリメートされた光を、前記水平方向に対応した水平平面に対して非ゼロの伝播角度で提供するように構成された、二方向光学コリメータ。
【請求項２】
前記垂直コリメータが、放物形状および傾斜角度を有する光学反射体を備え、前記傾斜角度が、前記二方向にコリメートされた光の前記非ゼロの伝播角度を提供するように構成された、請求項１に記載の二方向光学コリメータ。
【請求項３】
前記水平コリメータが、放物形状を有する光学反射体を備え、前記光学反射体が、前記二方向光学コリメータの出力アパーチャに実質的にまたがるように構成され、前記二方向にコリメートされた光が、前記出力アパーチャにわたって実質的に均一な分布を有するように構成された、請求項１に記載の二方向光学コリメータ。
【請求項４】
前記水平コリメータが、組み合わされた状態で前記二方向光学コリメータの出力アパーチャに実質的にまたがるように構成された複数のサブ反射体であって、それぞれのサブ反射体が放物形状の反射面を備える複数のサブ反射体を有する光学反射体を備える、請求項１に記載の二方向光学コリメータ。
【請求項５】
前記光学反射体がフレネル反射体である、請求項４に記載の二方向光学コリメータ。
【請求項６】
前記複数のサブ反射体のうちの第１のサブ反射体が、前記水平コリメータの第１の縁部に位置付けられた第１の垂直コリメータからの前記垂直方向にコリメートされた光を受けるように構成され、前記複数のサブ反射体のうちの第２のサブ反射体が、前記水平コリメータの第２の縁部に位置付けられた第２の垂直コリメータからの垂直方向にコリメートされた光を受けるように構成され、前記第２の縁部が、前記水平方向に対応した前記水平平面において前記第１の縁部の反対側にある、請求項４に記載の二方向光学コリメータ。
【請求項７】
前記垂直コリメータが、前記水平コリメータと一体であり前記水平コリメータの材料を備える、請求項１に記載の二方向光学コリメータ。
【請求項８】
請求項１に記載の前記二方向光学コリメータを備えるバックライトであって、
前記二方向光学コリメータの前記出力部にカップリングされた平板ライトガイドであって、前記二方向にコリメートされた光を前記非ゼロの伝播角度で受け、導波するように構成された平板ライトガイドをさらに備え、
前記平板ライトガイドが、前記導波される二方向にコリメートされた光の一部分を、前記平板ライトガイドの表面から放射するようにさらに構成された、バックライト。
【請求項９】
前記二方向光学コリメータに光を提供するように構成された光源をさらに備え、前記光源が、前記垂直コリメータに隣接して位置付けられ、前記垂直コリメータの入力部に前記光を提供するように構成された、請求項８に記載のバックライト。
【請求項１０】
前記光源が、異なる光色を提供するように構成された複数の異なる光学源を備え、前記異なる光学源が互いにずれており、前記異なる光学源の前記ずれが、前記異なる光色のそれぞれに対応した、前記二方向にコリメートされた光の異なる色固有の非ゼロの伝播角度を提供するように構成された、請求項９に記載のバックライト。
【請求項１１】
前記導波される二方向にコリメートされた光の一部分を回折によりカップリングして、前記平板ライトガイド表面から放射される複数の光ビームとして前記平板ライトガイドから外へ出すように構成されたマルチビーム回折格子をさらに備え、前記複数の光ビームのうちの１つの光ビームが、前記複数の光ビームのうちの他の光ビームの主極大角度方向とは異なる主極大角度方向を有する、請求項８に記載のバックライト。
【請求項１２】
請求項１１に記載の前記バックライトを備える３次元（３Ｄ）電子ディスプレイであって、前記３Ｄ電子ディスプレイが、
前記複数の光ビームのうちの１つの光ビームを変調するためのライトバルブであって、前記マルチビーム回折格子に隣接しているライトバルブをさらに備え、
前記光ビームの前記主極大角度方向が、前記３Ｄ電子ディスプレイの視認方向に対応しており、前記変調された光ビームが、前記視認方向における前記３Ｄ電子ディスプレイの画素を表す、３Ｄ電子ディスプレイ。
【請求項１３】
３次元（３Ｄ）電子ディスプレイであって、
垂直コリメータ、および前記垂直コリメータの出力部に隣接して位置付けられた水平コリメータを備える二方向光学コリメータであって、垂直コリメーションと水平コリメーションの両方を有する二方向にコリメートされた光を、水平平面に対して非ゼロの伝播角度で提供するように構成された二方向光学コリメータと、
前記二方向にコリメートされた光を導波光ビームとして前記非ゼロの伝播角度で導波するように構成された平板ライトガイドと、
前記平板ライトガイドの表面にあるマルチビーム回折格子のアレイであって、前記アレイのマルチビーム回折格子が、前記導波光ビームの一部分を回折によりカップリングして、前記３Ｄ電子ディスプレイの異なる３Ｄ視像の方向に対応した異なる主極大角度方向を有する複数のカップリングして外へ出される光ビームとして、外へ出すように構成された、アレイと、を備える、３Ｄ電子ディスプレイ。
【請求項１４】
前記垂直コリメータが、放物形状および傾斜角度を有する光学反射体を備え、前記傾斜角度が、前記二方向光学コリメータの出力部における前記二方向にコリメートされた光の前記非ゼロの伝播角度を決定するように構成された、請求項１３に記載の３Ｄ電子ディスプレイ。
【請求項１５】
前記水平コリメータが、放物形状を有する光学反射体を備え、前記水平コリメータの前記光学反射体が、前記二方向光学コリメータの出力アパーチャに実質的にまたがり、前記出力アパーチャにわたって実質的に均一に分布した前記二方向にコリメートされた光を提供するように構成された、請求項１３に記載の３Ｄ電子ディスプレイ。
【請求項１６】
前記水平コリメータが、第１の縁部、および前記第１の縁部の反対側の第２の縁部を有し、前記水平コリメータが、組み合わされた状態で前記二方向光学コリメータの出力アパーチャに実質的にまたがるように構成された複数のサブ反射体を備える光学反射体を備え、前記複数のサブ反射体のうちの第１のサブ反射体が、前記水平コリメータの前記第１の縁部にある第１の垂直コリメータからの垂直方向にコリメートされた光を受けるように構成され、前記複数のサブ反射体のうちの第２のサブ反射体が、前記水平コリメータの前記第２の縁部にある第２の垂直コリメータからの垂直方向にコリメートされた光を受けるように構成された、請求項１３に記載の３Ｄ電子ディスプレイ。
【請求項１７】
前記マルチビーム回折格子のアレイが、曲線状回折特徴部を有するチャープ回折格子を備える、請求項１３に記載の３Ｄ電子ディスプレイ。
【請求項１８】
前記チャープ回折格子が、線形チャープ回折格子である、請求項１７に記載の３Ｄ電子ディスプレイ。
【請求項１９】
前記二方向光学コリメータの入力部に光を提供するように構成された光源と、
前記複数のカップリングして外へ出された光ビームを、前記３Ｄ電子ディスプレイの前記異なる３Ｄ視像に対応した３Ｄ画素として選択的に変調するように構成されたライトバルブアレイとをさらに備える、請求項１３に記載の３Ｄ電子ディスプレイ。
【請求項２０】
前記ライトバルブアレイが、複数の液晶ライトバルブを備える、請求項１９に記載の３Ｄ電子ディスプレイ。
【請求項２１】
前記光源が、異なる光色を提供するように構成された複数の異なる発光ダイオード（ＬＥＤ）を備え、前記異なるＬＥＤが互いにずれており、前記異なるＬＥＤの前記ずれが、前記二方向にコリメートされた光の異なる色固有の非ゼロの伝播角度を提供するように構成され、異なる色固有の非ゼロの伝播角度が、前記異なる光色のそれぞれに対応している、請求項１９に記載の３Ｄ電子ディスプレイ。
【請求項２２】
垂直方向にコリメートされた光を提供するために、垂直コリメータを用いて光を垂直方向にコリメートするステップと、
垂直方向にコリメートされかつ水平方向にコリメートされた二方向にコリメートされた光を生成するために、前記垂直方向にコリメートされた光を、前記垂直コリメータの出力部に隣接して位置付けられた水平コリメータを用いて、水平方向にさらにコリメートするステップと、
前記二方向にコリメートされた光において非ゼロの伝播角度を作り出すステップであって、前記非ゼロの伝播角度が、前記垂直方向に対応した垂直平面における角度である、作り出すステップとを備える、二方向光コリメーションの方法。
【請求項２３】
前記垂直コリメータが、放物形状および傾斜角度を有する光学反射体を備え、前記傾斜角度が、前記二方向にコリメートされた光の前記非ゼロの伝播角度を提供し、前記水平コリメータが、別の放物形状を有し、前記水平コリメータの出力アパーチャにまたがっている別の光学反射体を備え、前記出力アパーチャにわたって前記二方向にコリメートされた光の均一な分布を生成する、請求項２２に記載の二方向光コリメーションの方法。
【請求項２４】
請求項２２に記載の二方向光コリメーションの方法を備える３次元（３Ｄ）電子ディスプレイの動作方法であって、
前記二方向にコリメートされた光を、前記非ゼロの伝播角度で平板ライトガイド内で導波するステップと、
３Ｄ電子ディスプレイの異なる３Ｄ視像の方向に対応した複数の異なる主極大角度方向に、前記平板ライトガイドから離れるように方向付けられた複数の光ビームを生成するために、前記導波される二方向にコリメートされた光の一部分を、前記平板ライトガイドの表面にあるマルチビーム回折格子を用いて回折によりカップリングして外へ出すステップと、
前記複数の光ビームのうちの光ビームを、ライトバルブのアレイを用いて変調するステップであって、前記変調された光ビームが、前記３Ｄ視像方向において前記３Ｄ電子ディスプレイの３Ｄ画素を形成する、変調するステップとをさらに備える、３Ｄ電子ディスプレイの動作方法。
【手続補正２】
【補正対象書類名】明細書
【補正対象項目名】０００５
【補正方法】変更
【補正の内容】
【０００５】
本開示は、以下の［１］〜［２４］を含む。
［１］二方向光学コリメータであって、
光を垂直方向にコリメートするように構成された垂直コリメータと、
上記垂直方向に実質的に直交する水平方向に光をコリメートするように構成された水平コリメータであって、上記垂直コリメータの出力部に隣接して位置付けられて、上記垂直コリメータからの垂直方向にコリメートされた光を水平方向にコリメートして、上記二方向光学コリメータの出力部において二方向にコリメートされた光を提供する水平コリメータとを備え、
上記二方向にコリメートされた光を、上記水平方向に対応した水平平面に対して非ゼロの伝播角度で提供するように構成された、二方向光学コリメータ。
［２］上記垂直コリメータが、放物形状および傾斜角度を有する光学反射体を備え、上記傾斜角度が、上記二方向にコリメートされた光の上記非ゼロの伝播角度を提供するように構成された、上記［１］に記載の二方向光学コリメータ。
［３］上記水平コリメータが、放物形状を有する光学反射体を備え、上記光学反射体が、上記二方向光学コリメータの出力アパーチャに実質的にまたがるように構成され、上記二方向にコリメートされた光が、上記出力アパーチャにわたって実質的に均一な分布を有するように構成された、上記［１］に記載の二方向光学コリメータ。
［４］上記水平コリメータが、組み合わされた状態で上記二方向光学コリメータの出力アパーチャに実質的にまたがるように構成された複数のサブ反射体であって、それぞれのサブ反射体が放物形状の反射面を備える複数のサブ反射体を有する光学反射体を備える、上記［１］に記載の二方向光学コリメータ。
［５］上記光学反射体がフレネル反射体である、上記［４］に記載の二方向光学コリメータ。
［６］上記水平コリメータの複数のサブ反射体のうちの第１のサブ反射体が、上記水平コリメータの第１の縁部に位置付けられた第１の垂直コリメータからの上記垂直方向にコリメートされた光を受けるように構成され、上記水平コリメータの複数のサブ反射体のうちの第２のサブ反射体が、上記水平コリメータの第２の縁部に位置付けられた第２の垂直コリメータからの垂直方向にコリメートされた光を受けるように構成され、上記第２の縁部が、上記水平方向に対応した上記水平平面において上記第１の縁部の反対側にある、上記［４］に記載の二方向光学コリメータ。
［７］上記垂直コリメータが、上記水平コリメータと一体であり上記水平コリメータの材料を備える、上記［１］に記載の二方向光学コリメータ。
［８］上記［１］に記載の上記二方向光学コリメータを備えるバックライトであって、
上記二方向光学コリメータの上記出力部にカップリングされた平板ライトガイドであって、上記二方向にコリメートされた光を上記非ゼロの伝播角度で受け、導波するように構成された平板ライトガイドをさらに備え、
上記平板ライトガイドが、上記導波される二方向にコリメートされた光の一部分を、上記平板ライトガイドの表面から放射するようにさらに構成された、バックライト。
［９］上記二方向光学コリメータに光を提供するように構成された光源をさらに備え、上記光源が、上記垂直コリメータに隣接して位置付けられ、上記垂直コリメータの入力部に上記光を提供するように構成された、上記［８］に記載のバックライト。
［１０］上記光源が、異なる光色を提供するように構成された複数の異なる光学源を備え、上記異なる光学源が互いにずれており、上記異なる光学源の上記ずれが、上記異なる光色のそれぞれに対応した、上記二方向にコリメートされた光の異なる色固有の非ゼロの伝播角度を提供するように構成された、上記［９］に記載のバックライト。
［１１］上記平板ライトガイドの表面にあるマルチビーム回折格子をさらに備え、上記マルチビーム回折格子が、上記導波される二方向にコリメートされた光の一部分を回折によりカップリングして、上記平板ライトガイド表面から放射される複数の光ビームとして上記平板ライトガイドから外へ出すように構成され、上記複数の光ビームのうちの１つの光ビームが、上記複数の光ビームのうちの他の光ビームの主極大角度方向とは異なる主極大角度方向を有する、上記［８］に記載のバックライト。
［１２］上記［１１］に記載の上記バックライトを備える３次元（３Ｄ）電子ディスプレイであって、上記３Ｄ電子ディスプレイが、
上記複数の光ビームのうちの１つの光ビームを変調するためのライトバルブであって、上記マルチビーム回折格子に隣接しているライトバルブをさらに備え、
上記光ビームの上記主極大角度方向が、上記３Ｄ電子ディスプレイの視認方向に対応しており、上記変調された光ビームが、上記視認方向における上記３Ｄ電子ディスプレイの画素を表す、３Ｄ電子ディスプレイ。
［１３］３次元（３Ｄ）電子ディスプレイであって、
垂直コリメータ、および上記垂直コリメータの出力部に隣接して位置付けられた水平コリメータを備える二方向光学コリメータであって、垂直コリメーションと水平コリメーションの両方を有する二方向にコリメートされた光を、水平平面に対して非ゼロの伝播角度で提供するように構成された二方向光学コリメータと、
上記二方向にコリメートされた光を導波光ビームとして上記非ゼロの伝播角度で導波するように構成された平板ライトガイドと、
上記平板ライトガイドの表面にあるマルチビーム回折格子のアレイであって、上記アレイのマルチビーム回折格子が、上記導波光ビームの一部分を回折によりカップリングして、上記３Ｄ電子ディスプレイの異なる３Ｄ視像の方向に対応した異なる主極大角度方向を有する複数のカップリングして外へ出される光ビームとして、外へ出すように構成された、アレイと、を備える、３Ｄ電子ディスプレイ。
［１４］上記垂直コリメータが、放物形状および傾斜角度を有する光学反射体を備え、上記傾斜角度が、上記二方向光学コリメータの出力部における上記二方向にコリメートされた光の上記非ゼロの伝播角度を決定するように構成された、上記［１３］に記載の３Ｄ電子ディスプレイ。
［１５］上記水平コリメータが、放物形状を有する光学反射体を備え、上記水平コリメータの上記光学反射体が、上記二方向光学コリメータの出力アパーチャに実質的にまたがり、上記出力アパーチャにわたって実質的に均一に分布した上記二方向にコリメートされた光を提供するように構成された、上記［１３］に記載の３Ｄ電子ディスプレイ。
［１６］上記水平コリメータが、第１の縁部、および上記第１の縁部の反対側の第２の縁部を有し、上記水平コリメータが、組み合わされた状態で上記二方向光学コリメータの出力アパーチャに実質的にまたがるように構成された複数のサブ反射体を備える光学反射体を備え、上記複数のサブ反射体のうちの第１のサブ反射体が、上記水平コリメータの上記第１の縁部にある第１の垂直コリメータからの垂直方向にコリメートされた光を受けるように構成され、上記複数のサブ反射体のうちの第２のサブ反射体が、上記水平光学コリメータの上記第２の縁部にある第２の垂直コリメータからの垂直方向にコリメートされた光を受けるように構成された、上記［１３］に記載の３Ｄ電子ディスプレイ。
［１７］上記マルチビーム回折格子のアレイが、曲線状回折特徴部を有するチャープ回折格子を備える、上記［１３］に記載の３Ｄ電子ディスプレイ。
［１８］上記チャープ回折格子が、線形チャープ回折格子である、上記［１７］に記載の３Ｄ電子ディスプレイ。
［１９］上記二方向光学コリメータの入力部に光を提供するように構成された光源と、
上記複数のカップリングして外へ出された光ビームを、上記３Ｄ電子ディスプレイの上記異なる３Ｄ視像に対応した３Ｄ画素として選択的に変調するように構成されたライトバルブアレイとをさらに備える、上記［１３］に記載の３Ｄ電子ディスプレイ。
［２０］上記ライトバルブアレイが、複数の液晶ライトバルブを備える、上記［１９］に記載の３Ｄ電子ディスプレイ。
［２１］上記光源が、異なる光色を提供するように構成された複数の異なる発光ダイオード（ＬＥＤ）を備え、上記異なるＬＥＤが互いにずれており、上記異なるＬＥＤの上記ずれが、上記二方向にコリメートされた光の異なる色固有の非ゼロの伝播角度を提供するように構成され、異なる色固有の非ゼロの伝播角度が、上記異なる光色のそれぞれに対応している、上記［１９］に記載の３Ｄ電子ディスプレイ。
［２２］垂直方向にコリメートされた光を提供するために、垂直コリメータを用いて光を垂直方向にコリメートするステップと、
垂直方向にコリメートされかつ水平方向にコリメートされた二方向にコリメートされた光を生成するために、上記垂直方向にコリメートされた光を、上記垂直コリメータの出力部に隣接して位置付けられた水平コリメータを用いて、水平方向にさらにコリメートするステップと、
上記二方向にコリメートされた光において非ゼロの伝播角度を作り出すステップであって、上記非ゼロの伝播角度が、上記垂直方向に対応した垂直平面における角度である、作り出すステップとを備える、二方向光コリメーションの方法。
［２３］上記垂直コリメータが、放物形状および傾斜角度を有する光学反射体を備え、上記傾斜角度が、上記二方向にコリメートされた光の上記非ゼロの伝播角度を提供し、上記水平コリメータが、別の放物形状を有する別の光学反射体を備え、上記水平コリメータの光学反射体が、上記出力アパーチャにわたって上記二方向にコリメートされた光の実質的に均一な分布を生成するために、上記水平コリメータの出力アパーチャに実質的にまたがっている、上記［２２］に記載の二方向光コリメーションの方法。
［２４］上記［２２］に記載の二方向光コリメーションの方法を備える３次元（３Ｄ）電子ディスプレイの動作方法であって、
上記二方向にコリメートされた光を、上記非ゼロの伝播角度で平板ライトガイド内で導波するステップと、
３Ｄ電子ディスプレイの異なる３Ｄ視像の方向に対応した複数の異なる主極大角度方向に、上記平板ライトガイドから離れるように方向付けられた複数の光ビームを生成するために、上記導波される二方向にコリメートされた光の一部分を、上記平板ライトガイドの表面にあるマルチビーム回折格子を用いて回折によりカップリングして外へ出すステップと、
上記複数の光ビームのうちの光ビームを、ライトバルブのアレイを用いて変調するステップであって、上記変調された光ビームが、上記３Ｄ視像方向において上記３Ｄ電子ディスプレイの３Ｄ画素を形成する、変調するステップとをさらに備える、３Ｄ電子ディスプレイの動作方法。
本明細書で説明する原理による例および実施形態の様々な特徴は、添付の図面と併せて以下の発明を実施するための形態を参照することにより、より容易に理解することができ、図面では同様の参照番号が同様の構造要素を指す。
【手続補正３】
【補正対象書類名】明細書
【補正対象項目名】００４１
【補正方法】変更
【補正の内容】
【００４１】
図４Ｃは、本明細書で説明する原理と一致したさらに別の実施形態による、一例における二方向光学コリメータ１００の上面図を示す。特に図４Ｃは、複数の垂直コリメータ１１０に加えて、複数のサブ反射体１２２’を有する水平コリメータ１２０を備える二方向光学コリメータ１００を示す。図４Ｃに示されるように、複数のサブ反射体のうちの第１のサブ反射体１２２’ａは、第１のサブ反射体１２２’ａとは反対側の、水平コリメータ１２０の第２の縁部１２０ｂに位置付けられた、複数の垂直コリメータのうちの第２の垂直コリメータ１１０ｂからの垂直方向にコリメートされた光１０４’を受けるように構成される。さらに、複数のサブ反射体のうちの第２のサブ反射体１２２’ｂは、図４Ｃに示されるように、第２のサブ反射体１２２’ｂとは反対側の第１の縁部１２０ａに位置付けられた、複数の垂直コリメータのうちの第１の垂直コリメータ１１０ａからの垂直方向にコリメートされた光１０４’を受けるように構成される。言い換えれば、図４Ｃのサブ反射体１２２’ａ、１２２’ｂは、図４Ｂに示される二方向光学コリメータ１００と比較して、水平コリメータ１２０のそれぞれ反対側の縁部からの垂直方向にコリメートされた光１０４’を受けるように構成される。さらに図４Ｃの二方向光学コリメータ１００は、図４Ｃにおいてさらに示されるように、二方向にコリメートされた光１０４を、二方向光学コリメータ１００の出力アパーチャに向かって提供するように構成される。
【手続補正４】
【補正対象書類名】明細書
【補正対象項目名】００５０
【補正方法】変更
【補正の内容】
【００５０】
様々な例によれば、平板ライトガイド２２０の実質的に光学的に透明な材料は、様々なタイプのガラス（例えば石英ガラス、アルカリアルミノシリケートガラス、ホウケイ酸ガラスなど）、および実質的に光学的に透明なプラスチックまたはポリマー（例えばポリ（メチルメタクリレート）または「アクリルガラス」、ポリカーボネートなど）のうちの１つまたは複数を含むがこれらに限定されない様々な誘電体材料のうちの任意のものを含んでもよく、またはそれから構成されてもよい。いくつかの例では、平板ライトガイド２２０は、平板ライトガイド２２０（図示せず）の表面（例えば、上面および下面の一方または両方）の少なくとも一部分上にクラッド層をさらに含んでもよい。いくつかの例によれば、クラッド層は、内部全反射をさらに促進するために用いられ得る。
【手続補正５】
【補正対象書類名】明細書
【補正対象項目名】００５４
【補正方法】変更
【補正の内容】
【００５４】
図５Ｃは、本明細書で説明する原理の原理と一致した実施形態による、一例におけるバックライト２００の一部分の断面図を示す。例えば、図５Ｃに示されるバックライト２００の一部分は、図２Ｃに示される二方向コリメータの一部分と実質的に同様であってもよい。特に図５Ｃは、複数の異なる光学源を備える光源２３０に加えて、垂直コリメータ２１２を含むバックライト２００の一部分を示す。図５Ｃに示されるように、光源２３０の複数の異なる光学源は、第１の色の光（例えば赤色光）を提供するように構成された第１の光学源２３２と、第２の色（例えば緑色）の光を提供するように構成された第２の光学源と、第３の色（例えば青色）の光を提供するように構成された第３の光学源２３６を含む。例えば光源２３０の第１、第２、および第３の光学源２３２、２３４、２３６は、それぞれ赤色ＬＥＤ、緑色ＬＥＤ、および青色ＬＥＤを備えてもよい。光源２３０の異なる光学源２３２、２３４、および２３６のそれぞれは、示されるように互いにずれている。
【手続補正６】
【補正対象書類名】明細書
【補正対象項目名】００５５
【補正方法】変更
【補正の内容】
【００５５】
具体的には、異なる光学源２３２、２３４、および２３６は、垂直方向にコリメートされた光２０４’の伝播方向において互いに横向きにずれているものとして図５Ｃに示される。ひいてはこのずれによって、垂直方向にコリメートされた光２０４’として垂直コリメータ２１２から出る際に異なる非ゼロの伝播角度を有する、異なる光学源２３２、２３４、および２３６によって生成された光２０２がもたらされる。示される光学源２３２、２３４、および２３６のそれぞれが異なる色の光を生成することから、垂直方向にコリメートされた光２０４’は３つの異なる光ビームを備え、それぞれの光ビームが、図５Ｃに示されるように異なる色固有の非ゼロの伝播角度を有する。図５Ｃでは、異なる線のタイプ（例えば、破線、実線など）が、異なる光色２０２、２０４’を示すことに留意されたい。
【手続補正７】
【補正対象書類名】明細書
【補正対象項目名】００５９
【補正方法】変更
【補正の内容】
【００５９】
図６Ａ〜図６Ｂに示されるように、マルチビーム回折格子２４０はチャープ回折格子である。特に回折特徴部２４０ａは、マルチビーム回折格子２４０の第１の端部２４０’においては、第２の端部２４０’’においてよりも互いに近くにある。さらに、示される回折特徴部２４０ａの回折間隔ｄは、第１の端部２４０’から第２の端部２４０”まで変化する。いくつかの実施形態では、マルチビーム回折格子２４０のチャープ回折格子は、距離に伴って線形に変化する回折間隔ｄのチャープを有してもよくまたはそれを呈してもよい。したがって、マルチビーム回折格子２４０のチャープ回折格子は、「線形チャープ」回折格子と呼ばれてもよい。
【手続補正８】
【補正対象書類名】明細書
【補正対象項目名】００６７
【補正方法】変更
【補正の内容】
【００６７】
いくつかの実施形態では、異なる所定の主極大角度方向を有する変調された光ビーム３０６’は、３Ｄ電子ディスプレイ３００の複数の画素を形成する。いくつかの例では、３Ｄ電子ディスプレイ３００は、３Ｄ電子ディスプレイ３００の異なる「視像」に関連付けられた画素に、変調された光ビーム３０６’が対応しているいわゆる「裸眼」の３Ｄカラー電子ディスプレイ（例えばマルチビュー、「ホログラフィック」、またはオートステレオスコピックディスプレイ）であってもよい。例として、変調された光ビーム３０６’は、図７において破線の矢印３０６’を用いて示され、変調前の異なる光ビーム３０６は、実線の矢印として示される。
【手続補正９】
【補正対象書類名】明細書
【補正対象項目名】００７０
【補正方法】変更
【補正の内容】
【００７０】
例えば、二方向コリメータ３１０の垂直コリメータは、放物形状および傾斜角度を有する光学反射体を備えてもよい。傾斜角度は、二方向光学コリメータの出力部における二方向にコリメートされた光の非ゼロの伝播角度を決定するように構成されてもよい。さらに例えば、二方向コリメータ３１０の水平コリメータは、放物形状を有する光学反射体を備えてもよい。例えば水平コリメータの光学反射体は、二方向光学コリメータの出力アパーチャに実質的にまたがり、出力アパーチャにわたって実質的に均一に分布した二方向にコリメートされた光を提供するように構成されてもよい。加えて二方向コリメータ３１０は、例えば二方向光学コリメータ１００の垂直コリメータ１１０および水平コリメータ１２０に関して上述したように、サブ反射体および複数の垂直コリメータを含む様々な他の構成に配置された垂直および水平コリメータを備えてもよい。
【手続補正１０】
【補正対象書類名】明細書
【補正対象項目名】００７３
【補正方法】変更
【補正の内容】
【００７３】
いくつかの実施形態では、（例えば図７に示されるような）３Ｄ電子ディスプレイ３００は、二方向光学コリメータ３１０の入力部に光を提供するように構成された光源３４０をさらに備える。いくつかの実施形態では、光源３４０は、上述したバックライト２００の光源２３０と実質的に同様であってもよい。特に光源３４０は、異なる光色を提供するように構成された複数の異なる発光ダイオード（ＬＥＤ）（考察をわかりやすくするために「異なる色のＬＥＤ」と呼ばれる）を備えてもよい。いくつかの実施形態では、異なる色のＬＥＤは、互いにずれて（例えば横方向にずれて）いてもよい。異なる色のＬＥＤのずれは、二方向光学コリメータ３１０からの二方向にコリメートされた光の異なる色固有の非ゼロの伝播角度を提供するように構成される。さらに、異なる色固有の非ゼロの伝播角度は、光源３４０によって提供される異なる光色のそれぞれに対応してもよい。
【手続補正１１】
【補正対象書類名】図面
【補正対象項目名】図５Ａ−Ｂ
【補正方法】変更
【補正の内容】
【図５Ａ−Ｂ】
2018534600.tif 000001
【手続補正１２】
【補正対象書類名】図面
【補正対象項目名】図５Ｃ
【補正方法】変更
【補正の内容】
【図５Ｃ】
2018534600.tif 000002
【手続補正１３】
【補正対象書類名】図面
【補正対象項目名】図６Ａ
【補正方法】変更
【補正の内容】
【図６Ａ】
2018534600.tif 000003
【手続補正１４】
【補正対象書類名】図面
【補正対象項目名】図６Ｂ−Ｃ
【補正方法】変更
【補正の内容】
【図６Ｂ−Ｃ】
2018534600.tif 000004